(57)【要約】【課題】換気扇が雨水による影響を受けず、太陽電池を備えて換気扇と電源線で接続すると共に、屋内空気を通気口より換気扇で排出可能な家屋棟部換気装置を構成する。【解決手段】勾配屋根の両斜面に跨る天板部１０と、天板部１０より下方に折れ曲がる立ち壁部１１，１２，１４とから遮蔽空間を形成する板金製の棟囲い１を備え、太陽電池２を天板部１０の外側で板面上にあてがい設置し、排気用の換気扇３を立ち壁部１１，１２の内側で相対する板面間に掛渡し設置し、太陽電池２の電力線２０を太陽電池２の設置面内で天板部１０の板面より棟囲い１の内部に引き込んで換気扇３と接続し、通気口１５ａ，１６を立ち壁部１１，１２の板面で換気扇３の設置位置より離間する近傍に設ける。【選択図】図４
2005213942.tif 000002
【特許請求の範囲】
【請求項１】
棟部の稜線に設けられる通気間隔を棟囲いで覆い、太陽電池で駆動する換気扇を棟囲いに備え、室内空気の排気を棟部の通気間隔と通ずる棟囲いの通気口から換気扇で強制的に行う家屋棟部用換気装置において、
勾配屋根の両斜面に跨る天板部と、天板部の長手方向両縁並びに両端縁より下方に折れ曲がる立ち壁部とから遮蔽空間を形成する板金製の棟囲いを備え、天板部の長手方向に亘るパネル状の太陽電池を天板部の外側で板面上にあてがい設置し、排気用の換気扇を天板部の長手方向に亘る立ち壁部の内側で相対する板面間に掛渡し設置し、太陽電池の電力線を太陽電池の設置面内で天板部の板面より棟囲いの内部に引き込んで換気扇と接続し、更に、通気口を天板部の長手方向に亘る立ち壁部の板面で換気扇の設置位置より離間する近傍に設けたことを特徴とする太陽電池駆動換気扇付き家屋棟部換気装置。
【請求項２】
勾配屋根の両斜面に跨って棟囲いの立ち壁部を受け止める板面形状を有し、棟部の通気間隔に相応する通気孔を板面中央の長手方向に沿って定間隔毎に複数設けた棟包みを備え、その棟包みを基板として棟囲いを据付け設置したことを特徴とする請求項１に記載の太陽電池駆動換気扇付き家屋棟部換気装置。
【請求項３】
通気孔を板面中央の長手方向に沿って定間隔毎に三つ設けた棟包みを備え、その中間の通気孔と相応させて換気扇を設置すると共に、両側の通気孔と相応させて通気口を設けた棟囲いを備えたことを特徴とする請求項２に記載の太陽電池駆動換気扇付き家屋棟部換気装置。
【発明の詳細な説明】
【技術分野】
【０００１】
本発明は、棟部の稜線に設けられる通気間隔を棟囲いで覆い、太陽電池で駆動する換気扇を棟囲いに備え、室内空気の排気を棟部の通気間隔と通ずる棟囲いの通気口から換気扇で強制的に行う家屋棟部用換気装置に関するものである。
【背景技術】
【０００２】
従来、太陽電池駆動換気扇付きの家屋棟部換気装置としては、傘型の太陽電池を棟包みとして備え、太陽電池と電源線で接続する換気扇を棟部本体の内部に組付け設置すると共に、通気間隔を隔てて太陽電池を棟部本体の上部側に取り付けるものが提供されている（特許文献１）。
【０００３】
その他に、太陽電池を越屋根の片斜面に埋込み装着すると共に、換気扇を他斜面の内側に組付け設置し、通気口を越屋根の棟部と並行する立ち壁部に設けるものが提案されている（特許文献２）。
【特許文献１】実開平７−１１３９号
【特許文献２】特開２００３−１６１０１１号
【発明の開示】
【発明が解決しようとする課題】
【０００４】
本発明の解決しようとする課題は、換気扇が雨水による影響を受けず、太陽電池を備えて換気扇と電源線で接続すると共に、屋内空気を通気口より換気扇で排出可能な家屋棟部換気装置を構成する点である。
【０００５】
また、上述した課題を踏まえた上で、装置全体を容易に組立設置可能な太陽電池駆動換気扇付き家屋棟部換気装置を構成する点である。
【課題を解決するための手段】
【０００６】
本発明の請求項１は、勾配屋根の両斜面に跨る天板部と、天板部の長手方向両縁並びに両端縁より下方に折れ曲がる立ち壁部とから遮蔽空間を形成する板金製の棟囲いを備え、天板部の長手方向に亘るパネル状の太陽電池を天板部の外側で板面上にあてがい設置し、排気用の換気扇を天板部の長手方向に亘る立ち壁部の内側で相対する板面間に掛渡し設置し、太陽電池の電力線を太陽電池の設置面内で天板部の板面より棟囲いの内部に引き込んで換気扇と接続し、更に、通気口を天板部の長手方向に亘る立ち壁部の板面で換気扇の設置位置より離間する近傍に設けたことを主要な特徴とする。
【０００７】
本発明の請求項２は、勾配屋根の両斜面に跨って棟囲いの立ち壁部を受け止める板面形状を有し、棟部の通気間隔に相応する通気孔を板面中央の長手方向に沿って定間隔毎に複数設けた棟包みを備え、その棟包みを基板として棟囲いを据付け設置したことを特徴とする。
【０００８】
本発明の請求項３は、通気孔を板面中央の長手方向に沿って定間隔毎に三つ設けた棟包みを備え、その中間の通気孔と相応させて換気扇を設置すると共に、両側の通気孔と相応させて通気口を設けた棟囲いを備えたことを特徴とする。
【発明の効果】
【０００９】
本発明の請求項１に係る太陽電池駆動換気扇付き家屋棟部換気装置では、太陽電池を天板部の外側で板面上にあてがい設置し、太陽電池の電力線を太陽電池の設置面内で天板部の板面より棟囲いの内部に引き込んで換気扇と接続するため、雨水が太陽電池の設置面より内部に浸入するのを防げ、換気扇に対する雨水による影響を防げる。また、通気口を天板部の長手方向に亘る立ち壁部の板面で換気扇の設置位置より離間する近傍に設けることから、通気口より棟囲いの内部に入り込む雨水の影響を直接受けるのを防げて換気扇の使用耐久性を高められる。
【００１０】
本発明の請求項２に係る太陽電池駆動換気扇付き家屋棟部換気装置では、太陽電池，換気扇を組付け装着する棟囲いと別に、棟部の通気間隔に相応する通気孔を板面中央の長手方向に沿って定間隔毎に複数設けた棟包みを備え、その棟包みを基板として棟囲いを据付け設置することから、屋上における取付作業を少なくできて装置全体を容易に据付け設置できる。
【００１１】
本発明の請求項３に係る太陽電池駆動換気扇付き家屋棟部換気装置では、通気孔を板面中央の長手方向に沿って定間隔毎に三つ設けた棟包みを備え、その中間の通気孔と相応させて換気扇を設置すると共に、両側の通気孔と相応させて通気口を設けた棟囲いを備えることから、換気扇の雨水による影響を確実に防げると共に、装置全体を容易に据付け設置できる。
【発明を実施するための最良の形態】
【００１２】
図１は、太陽電池駆動換気扇付きの家屋棟部換気装置を主要な各組立部材毎に展開させて示す斜視図である。同中、符号１は棟囲い、２は太陽電池、３は換気扇、４は棟包みを示す。この組立部材中、棟囲い１，棟包みは主として金属製の薄平板材を所定の平面形状に裁断すると共に、所定の立体形状に折り曲げて必要個所を接合することから、屋上における作業により個々に組付け設置可能に構成されている。
【００１３】
棟囲い１は、勾配屋根の両斜面に跨る天板部１０と、天板部１０の長手方向両縁並びに両端縁より下方に折れ曲がる立ち壁部１１（１２）、１３（１４）とから遮蔽空間を形成するよう組み立てられている。この棟囲い１の天板部１０は、勾配屋根に対応するよう板面中央を長手方向に沿って折り曲げることから傘型に形成されている。また、両端の立ち壁部１３（１４）も有幅の傘型に形成されている。
【００１４】
太陽電池２としては、天板部１０の長手方向に亘るパネル状のものが備え付けられている。その太陽電池２は、図２で示すように電力線２０を太陽電池２の設置面内で天板部１０の板面より棟囲い１の内部に引き込むと共に、嵌込み保持用のホルダー枠２１をビス２２で天板部１０の板面に締付け固定することから、天板部１０の外側で片斜面の板面上にあてがい設置されている。
【００１５】
換気扇３としては、空気流れを下方から上方に向けて生ずるシロッコファンが駆動モータで回動するよう備え付けられている。その換気扇３は、図３で示すように基台３０とハウジング３１とを備え、ハウジング３１を上部側から被せて基台３０と４本の植立ボルト３２で相対固定することから基台３０，ハウジング３１で保持されている。
【００１６】
換気扇３の基台３０は、円形の抜き穴３０ａ（図２参照）を板面に設けた中央の受け板部３０ｂと、受け板部３０ｂの両端に設けた立付け板部３０ｃ，３０ｄとから形成されている。ハウジング３１は、換気扇３を内部に収容する円筒状の囲い枠部３１ａと、囲い枠部３１ａの上部側を覆って３個の抜き穴３１ｂを板面に設けた支持板部３１ｃとから形成されている。
【００１７】
換気扇３（図２参照）は、駆動モータを天板部１０の板面より引き込んだ電源線２０で太陽電池２と電気的に接続することから棟囲い１の内部に組み付けられている。また、立付け板部３０ｃ，３０ｄを天板部１０の長手方向に亘る立ち壁部１１，１２の内側に締付けボルト３３であてがい固定することにより水平向きを保つよう立ち壁部１１，１２の板面間に掛渡し設置されている。
【００１８】
換気扇３（図１参照）は、棟囲い１の略中央位置に組付け設置されている。その棟囲い１には、換気扇３の設置位置より離間する近傍の両側で開口する通気口１５ａ，１５ｂ、１６（図２参照、片側のみ図示）が天板部１０の長手方向に亘る立ち壁部１１，１２の各板面に設けられている。この通気口１５ａ，１５ｂ、１６は、通気隙間を保って複数枚の羽根板を立ち壁部１１，１２の内方で斜め上方に張り出させたがらり通気口として形成されている。
【００１９】
棟囲い１の内側には、両側の通気口１５ａ、１６を取り囲む仕切り枠１７，１８が立ち壁部１１，１２の各板面に亘るよう組み付けられている（図１参照）。また、天板部１０の内面には断熱フォーム１７が敷込み貼着されている（図２参照）。
【００２０】
各仕切り板１８，１９は、棟囲い１の長手方向に向く両側の側面板部１８ａ，１９ａ（片面のみ図示）と、側面板部１８ａ，１９ａの間に亘る天面板部１８ｂ，１９ｂとから下向きコの字状を呈するよう折曲げ形成されている。また、側面板部１８ａ，１９ａの下辺部は屋根勾配に合わせて切欠形成され、天面板部１８ｂ，１９ｂの板面には複数の通気孔１８ｃ，１９ｃが設けられている。
【００２１】
棟包み４は、板面中央を長手方向に折り曲げて屋根の勾配に相応した傘型に形成されている（図１参照）。その板面中央には、長手方向に向う３つの長穴４０ａ，４０ｂ，４０ｃが換気扇３の取付位置並びに通気口１５ａ，１５ｂ、１６の開口位置に相応させて設けられている。長手方向の両端面は、後述する垂木の高さに相応するＬ字状の段部４１ａ，４１ｂとして折り曲げられている。
【００２２】
その棟包み４の板面には、棟囲い１の奥行きよりも低い立上り幅を有する略四辺形の水切り枠４２ａ，４２ｂ，４２ｃが各長穴４０ａ，４０ｂ，４０ｃの開口位置を囲むよう取り付けられている。また、棟囲い１の支持板４３ａ，４３ｂが両端寄りの水切り枠４２ｂ，４２ｃにあてがって立付け固定されている。
【００２３】
この家屋棟部換気装置を据付け設置するには、まず、図４で示すように棟部の通気間隔Ｇを覆うよう棟包み４を棟部の稜線に跨るよう屋根の両斜面を形成する野地板Ｂにあてがい固定する。その棟包み４は、段部４１ａ，４１ｂの側面部から両端寄り板面を垂木Ｗの上側に被せると共に、段部４１ａ，４１ｂの下面部を野地板Ｂにあてがってビス止め固定すればよい。
【００２４】
次に、棟囲い１を棟包み４に被せてビス５を立ち壁部１１，１２の板面より支持板４３ａ，４３ｂの板面に螺着する（図１参照）ことから、棟囲い１を棟包み４に取付け固定する。この棟囲い１の取付状態では、仕切り枠１８，１９が水切り枠４２ｂ，４２ｃの外側に嵌り合うと共に、換気扇３が水切り枠４２ａの内側に相対位置する。なお、段部４１ａ，４１ｂの下面部は野地板Ｂの板面上に敷込み設置する屋根平板Ｒの下側に取り込まれる。
【００２５】
このように据付け設置する太陽電池駆動換気扇付きの家屋棟部換気装置では、太陽電池２を天板部１０の外側で板面上にあてがい設置すると共に、太陽電池２の電力線２０を太陽電池２の設置面内で天板部の板面より棟囲い１の内部に引き込んで換気扇３と接続するため、雨水が太陽電池２の設置面より棟囲１の内部に浸入する防げ、換気扇３に対する雨水の影響を防げる。
【００２６】
それに加えて、通気口１５ａ，１５ｂ、１６を天板部１０の長手方向に亘る立ち壁部１１，１２の板面で換気扇３の設置位置より離間する近傍の両側に設けることから、通気口１５ａ，１５ｂ、１６より棟囲い１の内部に入り込む雨水の影響を直接受けるのを防げることにより換気扇３の使用耐久性を高められる。
【００２７】
その据付け設置にあたっては、太陽電池２，換気扇３を組付け装着する棟囲い１と別に、棟部の通気間隔Ｇに相応する通気孔４０ａ，４０ｂ，４０ｃを板面中央の長手方向に沿って定間隔毎に複数設けた棟包み４を備え、その棟包み４を基板として棟囲い１を組み付けることから、屋上における取付作業を少なくできて装置全体を容易に据付け設置できる。
【００２８】
また、棟包み４には通気孔４０ａ，４０ｂ，４０ｃを板面中央の長手方向に沿って定間隔毎に三つ設け、その中間の通気孔４０ａと相応させて換気扇３を設置すると共に、両側の通気孔４０ｂ，４０ｃと相応させて通気口１５ａ，１５ｂ、１６を設けた棟囲い１を備えることから、換気扇３の雨水による影響を確実に防げると共に、装置全体を容易に据付け設置できる。
【００２９】
その家屋棟部換気装置では、換気扇３が太陽電池２を動力として回動する。この換気扇３の回動に伴っては、屋内空気が棟包み４の通気孔４０ａ，４０ｂ，４０ｃより棟囲い１の内部に吸引されて棟囲い１の通気口１５ａ，１５ｂ、１６から屋外に強制排出される。なお、棟包み４の通気孔４０ａより吸引される屋内空気は仕切り枠１８，１９の通気孔１８ｃ，１９ｃより内側に流れ込んで棟囲い１の通気口１５ａ，１５ｂ、１６から屋外に排出される。
【００３０】
雨水は、棟囲い１のがらり通気口１５ａ，１５ｂ、１６で遮断されるから棟囲い１の内側に侵入するのを防げる。万が一、雨水が棟囲い１のがらり通気口１５ａ，１５ｂ、１６より内部に浸入しても、その雨水は水切り枠４２ａ，４２ｂ，４２ｃにより屋内まで移動するのを阻止できる。
【図面の簡単な説明】
【００３１】
【図１】本発明に係る太陽電池駆動換気扇付きの家屋棟部換気装置を各組立部材の展開状態で示す斜視図である。
【図２】図１の家屋棟部換気装置を構成する棟囲いを示す断面図である。
【図３】図１の家屋棟部換気装置に備え付ける換気扇樹脂カバーを示す斜視図である。
【図４】図１の家屋棟部換気装置を据付け設置状態で示す断面図である。
【符号の説明】
【００３２】
１            棟囲い
１０          棟囲いの天板部
１１（１２）、１３（１４）    棟囲いの立ち壁部
１５ａ，１５ｂ、１６    通気口
２            太陽電池
２０          太陽電池の電力線
３            換気扇
４            棟包み
４０ａ，４０ｂ，４０ｃ    棟包みの通気孔
【図１】
2005213942.tif 000003
【図２】
2005213942.tif 000004
【図３】
2005213942.tif 000005
【図４】
2005213942.tif 000006